(57)【要約】車両から他車の運転評価データを取得、集積して各車両の運転者の運転評価を可能とした構成を実現する。車両側情報処理装置から、車両情報、運転者情報、位置情報を情報管理装置に送信し、さらに、他の車両の運転に関する評価情報を情報管理装置に送信する。情報管理装置は、車両から、車両情報、運転者情報、位置情報を受信してデータベースに格納するとともに、評価情報と評価時の時間情報や運転者情報等を受信する。データベースの格納データと、評価情報に併せて受信したデータとのマッチング処理により、評価対象車両や運転者を特定し、評価情報データベースに格納し、格納データに基づく解析処理を実行して運転者等に提供する。
2019039212.tif 000002
【特許請求の範囲】
【請求項１】
他の車両の運転に関する評価情報を入力する評価情報入力部と、
前記評価情報入力部に入力された評価情報を情報管理装置に送信する通信部を有する情報処理装置。
【請求項２】
前記評価情報入力部は、
カメラによる撮影画像を表示する表示部を利用したユーザインタフェースであり、
前記表示部に表示された他の車両に関するプラス評価、またはマイナス評価の評価値を入力可能な入力部である請求項１に記載の情報処理装置。
【請求項３】
前記情報処理装置は、さらに、
運転者情報を入力する運転者登録部を有し、
前記通信部は、前記運転者登録部を介して入力された運転者情報を、前記情報管理装置に送信する請求項１に記載の情報処理装置。
【請求項４】
前記情報処理装置は、さらに、
位置情報を検出する位置検出部を有し、
前記通信部は、前記位置検出部において検出された位置情報を、前記情報管理装置に送信する請求項１に記載の情報処理装置。
【請求項５】
前記情報処理装置は、さらに、
イベント情報を検出するイベント検出部を有し、
前記通信部は、前記イベント検出部において検出されたイベント情報を、前記情報管理装置に送信する請求項１に記載の情報処理装置。
【請求項６】
前記イベント情報は、
ユーザによる評価情報の入力意思を示す入力処理に基づくイベント情報である請求項５に記載の情報処理装置。
【請求項７】
前記イベント情報は、
カメラ撮影画像に基づく危険車両の検出に基づくイベント情報である請求項５に記載の情報処理装置。
【請求項８】
前記情報処理装置は、さらに、
前記情報管理装置の送信する評価情報を出力する出力部を有する請求項１に記載の情報処理装置。
【請求項９】
前記出力部は、
前記情報管理装置から、自己の車両の運転評価情報を入力して出力する請求項８に記載の情報処理装置。
【請求項１０】
前記出力部は、
前記情報管理装置から、他の車両に対して行った運転評価情報のサマリを入力して出力する請求項８に記載の情報処理装置。
【請求項１１】
車両から他車の運転に関する評価情報を受信する通信部と、
前記評価情報を格納する評価情報データベースと、
前記評価情報データベースの格納データに基づく解析処理を実行する集計処理部を有する情報処理装置。
【請求項１２】
前記情報処理装置は、
車両から、車両情報、または運転者情報、または位置情報の少なくともいずれかの情報を取得し、
前記評価情報に併せて受信するデータと、前記車両情報、または運転者情報、または位置情報の少なくともいずれかの情報とのマッチング処理を実行して、評価対象車両、または評価対象運転者の少なくともいずれかの特定処理を行う請求項１１に記載の情報処理装置。
【請求項１３】
前記情報処理装置は、
前記集計処理部の実行した、前記評価情報データベースの格納データに基づく解析処理結果を車両に送信する請求項１１に記載の情報処理装置。
【請求項１４】
車両側情報処理装置と、情報管理装置を有する情報処理システムであり、
前記車両側情報処理装置は、
他の車両の運転に関する評価情報を入力する評価情報入力部と、
前記評価情報入力部に入力された評価情報を情報管理装置に送信する通信部を有し、
前記情報管理装置は、
前記車両側情報処理装置から前記評価情報を受信する通信部と、
前記評価情報を格納する評価情報データベースと、
前記評価情報データベースの格納データに基づく解析処理を実行する集計処理部を有する情報処理システム。
【請求項１５】
情報処理装置において実行する情報処理方法であり、
評価情報入力部に対する、他車両の運転に関する評価情報の入力処理を検出する入力検出処理と、
前記評価情報入力部に入力された評価情報を、通信部を介して情報管理装置に送信するデータ送信処理を実行する情報処理方法。
【請求項１６】
情報処理装置において実行する情報処理方法であり、
通信部を介して、車両から他車の運転に関する評価情報を受信する通信ステップと、
データ処理部が、前記評価情報を評価情報データベースに格納するステップと、
集計処理部が、前記評価情報データベースの格納データに基づく解析処理を実行する集計ステップを実行する情報処理方法。
【請求項１７】
情報処理装置において情報処理を実行させるプログラムであり、
評価情報入力部に対する、他車両の運転に関する評価情報の入力処理を検出する入力検出処理と、
前記評価情報入力部に入力された評価情報を、通信部を介して情報管理装置に送信するデータ送信処理を実行させるプログラム。
【請求項１８】
情報処理装置において情報処理を実行させるプログラムであり、
通信部を介して、車両から他車の運転に関する評価情報を受信させる通信ステップと、
データ処理部に、前記評価情報を評価情報データベースに格納させるステップと、
集計処理部に、前記評価情報データベースの格納データに基づく解析処理を実行させる集計ステップを実行させるプログラム。
【発明の詳細な説明】
【技術分野】
【０００１】
本開示は、情報処理装置、情報処理システム、および情報処理方法、並びにプログラムに関する。さらに詳細には、自動車の運転者の運転に関する評価処理を行う情報処理装置、情報処理システム、および情報処理方法、並びにプログラムに関する。
【背景技術】
【０００２】
自動車の運転技術は運転者によって様々であり、多くの運転者が安全運転を心がけて運転を行っている中、危険な運転を行う運転者も少なくない。
また、昨今は、高齢運転者の増加により、運転技術の低下に伴う危険運転も増加する傾向にある。【０００３】
しかし、例えば自分の車の周囲の車が危険運転を行う運転者の運転する自動車であるか否かについては知ることができない。
このような情報を予め知ることができれば、運転者は、周囲の車との車間距離を大きくする等、事前の事故防止が可能となる。【０００４】
また、自動車に関する保険、いわゆる自動車保険として、近年、車両の走行距離や、運転特性といった運転者の運転情報を取得して分析し、この運転者が安全運転を行っているか否かを判定して、この判定結果に基づいて保険料を算定するテレマティクス保険が普及しつつある。【０００５】
テレマティクス保険には、走行距離のみに連動する走行距離連動型（ＰＡＹＤ：Ｐａｙ  Ａｓ  Ｙｏｕ  Ｄｒｉｖｅ）のタイプと、運転者（ドライバ）の運転特性、例えば急ブレーキや急発進等の頻度等の運転特性を考慮して保険料を算出する運転行動連動型（ＰＨＹＤ：Ｐａｙ  Ｈｏｗ  Ｙｏｕ  Ｄｒｉｖｅ）のタイプの２種類がある。【０００６】
運転者（ドライバ）の運転特性に基づいて保険料を算出するためには、運転者（ドライバ）の運転特性データを取得することが必要であり、車両に取り付けられた様々なセンサに基づいて収集した情報が保険料算出の基礎データとして利用される。
なお、このような運転情報の収集に基づく保険料算出処理構成については、例えば特許文献１（特開２０１６−１４７６００号公報）に記載がある。【０００７】
運転行動連動型（ＰＨＹＤ）のテレマティクス保険では、運転者（ドライバ）の運転特性に基づいて保険料を算出する。
具体的には、例えば、急ブレーキや急発進、急ハンドルが多用されている場合、危険な運転が多いと判定されてしまい、保険料が高く設定される。
しかし、例えば、危険を避けるために急ブレーキを利用することはよくあることであり、単に急ブレーキの多さによって保険料が高く設定されてしまうというのは問題であるという意見も多い。
このような問題を防止する手法の一つとして、他者による運転評価が有効であると考えられる。
【先行技術文献】
【特許文献】
【０００８】
【特許文献１】特開２０１６−１４７６００号公報
【発明の概要】
【発明が解決しようとする課題】
【０００９】
本開示は、例えば、上記の問題点に鑑みてなされたものであり、自動車運転者の運転に関する評価を、周囲の他の自動車の運転者等が行い、評価データを集積して、集積データに基づくデータ分析や、分析結果に基づく情報提供処理や保険料算出等を行うことを可能とした情報処理装置、情報処理システム、および情報処理方法、並びにプログラムを提供することを目的とする。
【課題を解決するための手段】
【００１０】
本開示の第１の側面は、
他の車両の運転に関する評価情報を入力する評価情報入力部と、
前記評価情報入力部に入力された評価情報を情報管理装置に送信する通信部を有する情報処理装置にある。【００１１】
さらに、本開示の第２の側面は、
車両から他車の運転に関する評価情報を受信する通信部と、
前記評価情報を格納する評価情報データベースと、
前記評価情報データベースの格納データに基づく解析処理を実行する集計処理部を有する情報処理装置にある。【００１２】
さらに、本開示の第３の側面は、
車両側情報処理装置と、情報管理装置を有する情報処理システムであり、
前記車両側情報処理装置は、
他の車両の運転に関する評価情報を入力する評価情報入力部と、
前記評価情報入力部に入力された評価情報を情報管理装置に送信する通信部を有し、
前記情報管理装置は、
前記車両側情報処理装置から前記評価情報を受信する通信部と、
前記評価情報を格納する評価情報データベースと、
前記評価情報データベースの格納データに基づく解析処理を実行する集計処理部を有する情報処理システムにある。【００１３】
さらに、本開示の第４の側面は、
情報処理装置において実行する情報処理方法であり、
評価情報入力部に対する、他車両の運転に関する評価情報の入力処理を検出する入力検出処理と、
前記評価情報入力部に入力された評価情報を、通信部を介して情報管理装置に送信するデータ送信処理を実行する情報処理方法にある。【００１４】
さらに、本開示の第５の側面は、
情報処理装置において実行する情報処理方法であり、
通信部を介して、車両から他車の運転に関する評価情報を受信する通信ステップと、
データ処理部が、前記評価情報を評価情報データベースに格納するステップと、
集計処理部が、前記評価情報データベースの格納データに基づく解析処理を実行する集計ステップを実行する情報処理方法にある。【００１５】
さらに、本開示の第６の側面は、
情報処理装置において情報処理を実行させるプログラムであり、
評価情報入力部に対する、他車両の運転に関する評価情報の入力処理を検出する入力検出処理と、
前記評価情報入力部に入力された評価情報を、通信部を介して情報管理装置に送信するデータ送信処理を実行させるプログラムにある。【００１６】
さらに、本開示の第７の側面は、
情報処理装置において情報処理を実行させるプログラムであり、
通信部を介して、車両から他車の運転に関する評価情報を受信させる通信ステップと、
データ処理部に、前記評価情報を評価情報データベースに格納させるステップと、
集計処理部に、前記評価情報データベースの格納データに基づく解析処理を実行させる集計ステップを実行させるプログラムにある。【００１７】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１８】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１９】
本開示の一実施例の構成によれば、車両から他車の運転評価データを取得、集積して各車両の運転者の運転評価を可能とした構成が実現される。
具体的には、例えば、車両側情報処理装置から、車両情報、運転者情報、位置情報を情報管理装置に送信し、さらに、他の車両の運転に関する評価情報を情報管理装置に送信する。情報管理装置は、車両から、車両情報、運転者情報、位置情報を受信してデータベースに格納するとともに、評価情報と評価時の時間情報や運転者情報等を受信する。データベースの格納データと、評価情報に併せて受信したデータとのマッチング処理により、評価対象車両や運転者を特定し、評価情報データベースに格納し、格納データに基づく解析処理を実行して運転者等に提供する。
本構成により、車両から他車の運転評価データを取得、集積して各車両の運転者の運転評価を可能とした構成が実現される。
なお、本明細書に記載された効果はあくまで例示であって限定されるものではなく、また付加的な効果があってもよい。
【図面の簡単な説明】
【００２０】
【図１】情報処理システムの構成例について説明する図である。
【図２】車両側情報処理装置と情報管理装置の構成と処理について説明する図である。
【図３】車両情報データベースの格納データ例について説明する図である。
【図４】運転者情報データベースの格納データ例について説明する図である。
【図５】車両位置情報データベースの格納データ例について説明する図である。
【図６】イベント検出部の実行するイベント検出処理について説明する図である。
【図７】イベント情報データベースの格納データ例について説明する図である。
【図８】評価情報入力ＵＩの例について説明する図である。
【図９】評価情報データベースの格納データ例について説明する図である。
【図１０】評価情報入力ＵＩの例について説明する図である。
【図１１】評価情報の出力例について説明する図である。
【図１２】評価情報の出力例について説明する図である。
【図１３】評価情報の出力例について説明する図である。
【図１４】危険運転車両の近づきを通知する処理について説明する図である。
【図１５】危険運転車両の近づきを通知する処理について説明する図である。
【図１６】テレマティクス保険について説明する図である。
【図１７】テレマティクス保険の保険料について説明する図である。
【図１８】運転評価データを適用した保険料算出処理例について説明する図である。
【図１９】本開示の処理に適用される情報処理装置のハードウェア構成例について説明する図である。
【発明を実施するための形態】
【００２１】
以下、図面を参照しながら本開示の情報処理装置、情報処理システム、および情報処理方法、並びにプログラムの詳細について説明する。なお、説明は以下の項目に従って行なう。
１．情報処理システムの概要について
２．車両側情報処理装置と情報管理装置の装置構成と処理について
３．評価情報を利用した情報提供処理について
４．危険運転車両が近づいていることの通知処理について
５．テレマティクス保険の保険料算出に適用する処理例について
６．情報処理装置の構成例について
７．本開示の構成のまとめ
【００２２】
［１．情報処理システムの概要について］
まず、図１を参照して本開示の情報処理システムの概要について説明する。
図１は、本開示の情報処理システムの一構成例を示す図である。
図１には、前後に並んで走行する車Ａ１１、車Ｂ１２、車Ｃ１３を示している。
各車Ａ〜Ｃは、運転者Ａ２１、運転者Ｂ２２、運転者Ｃ２３によって運転が行われている。
【００２３】
車Ａ〜Ｃの各々は、情報管理装置３０との通信を実行し、以下の各情報を情報管理装置３０に送信する。
（１）車情報
（２）運転者情報
（３）位置情報
【００２４】
（１）車情報は、車の識別情報としての車ＩＤを含む情報である。
（２）運転者情報は、運転者の識別情報としての運転者ＩＤを含む情報である。、
（３）位置情報は、例えば車に搭載されたＧＰＳ等の位置情報取得装置によって取得された位置情報である。
【００２５】
なお、情報管理装置３０は、車情報を登録した車両情報データベースを有する。
車両情報データベースは、例えば、車ＩＤと、車種、登録運転者、車の全周囲画像データ等を対応付けて格納している。
また、情報管理装置３０は、運転者報を登録した運転者情報データベースを有する。
運転者情報データベースは、例えば、運転者ＩＤと、車ＩＤ、運転時間情報データ等を対応付けて格納している。
これらのデータベース構成については後段で詳細に説明する。
【００２６】
車Ａ〜Ｃ各々の運転者または乗車者は、周囲の車の運転状況を確認して運転の評価を行い、他車の運転評価情報を情報管理装置３０に送信することができる。
例えば、図１に示す車Ｂ１２の運転者Ｂ２２は、突然の追い越しにより前に飛び出してきた車Ａ１１の運転状況を観察して危険運転であると判断し、この判断に基づいてマイナス評価（ＢＡＤ）を行い、この評価情報を他車評価情報として情報管理装置３０に送信する。
【００２７】
また、例えば、図１に示す車Ｃ１３の運転者Ｃ２３は、前方の車Ｂ１２の運転状況を観察し、法定速度を守った安全運転が行われていると判断し、この判断に基づいてプラス評価（ＧＯＯＤ）を行い、この評価情報を他車評価情報として情報管理装置３０に送信する。
【００２８】
情報管理装置３０は、これら各車から受信する評価情報を集積し、集積データの分析を行い、分析結果を例えば各車の運転者に提供する。
さらに、情報管理装置３０は、評価情報や分析結果を必要に応じて保険会社４０等にも提供する。保険会社４０は、これらの情報を各運転者に対する保険料算出に利用する。
【００２９】
［２．車両側情報処理装置と情報管理装置の装置構成と処理について］
次に、図２以下を参照して、車両側情報処理装置と情報管理装置の装置構成と処理について説明する。
【００３０】
図２は、、車両側情報処理装置１００と、情報管理装置２００の装置構成を示すブロック図である。
なお、図には省略しているが、車両側情報処理装置１００と、情報管理装置２００の各々は通信部、およデータ処理部を有し、通信部を介して相互に通信可能な構成であり、データ処理部において送受信データの生成、解析、データベースに対するデータ格納処理等を実行する。
【００３１】
車両側情報処理装置１００と、情報管理装置２００の各構成部を接続する矢印等の接続線は、車両側情報処理装置１００と、情報管理装置２００の通信部を介した通信処理によってデータ送受信が行われることを示す。
【００３２】
図に示すように、車両側情報処理装置１００は、車両登録部１０１、運転者登録部１０２、位置検出部１０３、イベント検出部１−４、評価情報入力ユーザインタフェース（ＵＩ）１０５、評価情報出力ユーザインタフェース（ＵＩ）１０６を有する。
また、情報管理装置２００は、車両情報データベース２０１、運転者情報データベース２０２、車両位置情報データベース２０３、イベント情報データベース２０４、マッチング処理部２０５、評価情報データベース２０６、集計処理部２０７を有する。
【００３３】
まず、車両側情報処理装置１００は、車両登録部１０１を介して車両情報を情報管理装置２００に送信する。情報管理装置２００は、受信情報を車両情報データベース２０１に登録する。
なお、この登録処理は、例えば、車の購入時等に、一回のみ行えばよい。
【００３４】
この登録処理は、車両側情報処理装置１００から、所定の登録用データを情報管理装置２００に送信して行ってもよいが、例えば必要情報を記入した用紙を郵送等によって情報管理装置２００の運営者に提出するなどの処理によって行うことも可能である。また、車の販売店等が必要情報を準備して代理申請する等、様々な方式での登録処理が可能である。
【００３５】
情報管理装置２００の車両情報データベース２０１に格納される登録データの例について、図３を参照して説明する。
図３に示すように、車両情報データベース２０１には、
車両ＩＤ（識別子）、
車種、
登録運転者ＩＤ（識別子）
車両画像（前方、後方、左右側面画像）
これらの各データが対応づけて格納される。
【００３６】
なお、登録運転者ＩＤ（識別子）については、１台の車両に対して複数運転者のＩＤ登録が可能である。
車両画像（前方、後方、左右側面画像）は、前後、左右の静止画像に限らず、例えば車周囲から観察した映像データでもよい。
この画像データは、車の販売者やメーカー等から提供する設定としてもよい。
【００３７】
図２に戻り、車両側情報処理装置１００と、情報管理装置２００の構成と処理について説明を続ける。
車両側情報処理装置１００の運転者登録部１０２は、車両に運転者が乗車して運転を開始する際に、運転者情報等を取得する。取得情報は通信部を介して情報管理装置２００に送信される。
送信情報は、情報管理装置２００の運転者情報データベース２０２に格納される。
【００３８】
運転者情報データベース２０２の格納データ例を図４に示す。
図４に示すように、運転者情報データベース２０２には、
運転者ＩＤ（識別子）
車両ＩＤ（識別子）、
運転時間情報、
これらの各データが対応づけて格納される。
【００３９】
運転者は、先に図３を参照して説明した車両情報データベースに登録された登録運転者ＩＤを有する運転者である。この運転者は、例えば、情報管理装置２００の発行したＩＤカードを所有する。ＩＤカードには、運転者ＩＤや車両ＩＤ等が記録されている。
運転者は、運転開始時にＩＤカードを車両の運転者登録部１０２のカード挿入口に差し込む。
このカード挿入により、ＩＤカードから運転者ＩＤや車両ＩＤ等が読み取られ、情報管理装置２００に送信される。
【００４０】
情報管理装置２００は、これらの情報を運転者情報データベース２０２に格納する。
なお、情報管理装置２００は、運転者ＩＤ、車両ＩＤに対応付けて、時間情報を記録する。まず、運転開始時間を記録する。その後、車両側情報処理装置１００の運転者登録部１０２は、車両の運転停止情報等についても情報管理装置２００に送信し、情報管理装置２００は、運転が停止された場合、停止時間を記録する。すなわち運転時間情報を記録する。
【００４１】
なお、上述の例では、ＩＤカードを利用した運転者情報等の登録処理例について説明したが、その他、例えば指紋等の生体認証によって、運転者を識別して登録するといった処理を行う構成としてもよい。
【００４２】
図２に戻り、車両側情報処理装置１００と、情報管理装置２００の構成と処理について説明を続ける。
車両側情報処理装置１００の位置検出部１０３は、車両の位置情報を検出する。取得された位置情報は通信部を介して情報管理装置２００に送信される。
送信情報は、情報管理装置２００の車両位置情報データベース２０３に格納される。
車両側情報処理装置１００の位置検出部１０３は、例えばＧＰＳ等によって構成される。
【００４３】
車両位置情報データベース２０３の格納データ例を図５に示す。
図５に示すように、車両位置情報データベース２０３には、
車両ＩＤ（識別子）、
時間−位置対応情報、
これらの各データが対応づけて格納される。
時間−位置対応情報には、例えばＧＰＳの計測間隔に応じたタイミングで、逐次、位置情報が位置情報取得時間に対応付けて記録される。
【００４４】
図２に示す車両側情報処理装置１００のイベント検出部１０４は、例えば、車両側情報処理装置１００から情報管理装置２００に評価情報の送信を行う必要が発生したことを示すイベント情報を取得し、取得イベント情報が情報管理装置２００に送信される。
送信イベント情報は、情報管理装置２００のイベント情報データベース２０４に格納される。
【００４５】
車両側情報処理装置１００のイベント検出部１０４の処理例について図６を参照して説明する。
図６には、イベント検出部１０４の処理例について説明する状態遷移図を示している。
【００４６】
例えばステップＳ１１の待機状態において、運転者が、周囲に危険運転車を発見し、その運転評価情報を車両側情報処理装置１００に送信したいと考えると、運転者は、ステップＳ１２において、車両側情報処理装置１００のイベント検出部１０４に備えられた入力部に対する入力を行う。
この入力により、ステップＳ１３のイベントデータベース登録処理に移行する。
あるいは、ステップＳ１２において、車両に備え付けられたカメラが危険運転車を発見した場合も、評価情報を出力すべきと自動的に判断して、ステップＳ１３のイベントデータベース登録処理に移行する。
【００４７】
ステップＳ１３のイベントデータベース登録処理は、車両側情報処理装置１００のイベント検出部１０４の検出イベントを、情報管理装置２００のイベント情報データベース２０４に格納する処理である。
【００４８】
イベント情報データベース２０３の格納データ例を図７に示す。
図７に示すように、イベント情報データベース２０３には、
イベントＩＤ（識別子）
日時情報
イベント情報出力車両ＩＤ（識別子）、
イベント情報出力車両運転者ＩＤ（識別子）
評価値（−５０〜＋５０）
評価者ＩＤ（評価者が運転者の場合は運転者ＩＤ、自動検出（ＡＵＴＯ）の場合はセンサ（カメラ等）のＩＤ）
評価対象車両情報（例えば画像）
これらの各データが対応づけて格納される。
【００４９】
日時情報は、イベントの発生した日時情報であり、ユーザよる入力部の操作時間、あるいは、カメラによる危険運転車の発見日時情報である。
イベント情報出力車両ＩＤ（識別子）、
イベント情報出力車両運転者ＩＤ（識別子）
これらはイベント情報を出力した車両のＩＤとその車両の運転者のＩＤである。
【００５０】
評価値（−５０〜＋５０）は、ユーザによる評価値入力の場合は、後述する評価情報入力ユーザインタフェース（ＵＩ）を利用して評価値が入力された場合は、その入力評価値の値である。
一方、カメラ等のセンサによる自動評価値の場合は、その自動評価値が記録される。
【００５１】
評価者ＩＤ（評価者が運転者の場合は運転者ＩＤ、自動検出（ＡＵＴＯ）の場合はセンサ（カメラ等）のＩＤ）
このデータは、後述する評価情報入力ユーザインタフェース（ＵＩ）を利用して評価値が入力された場合、評価値入力者としての運転者ＩＤである。
一方、カメラ等のセンサによる自動評価値の場合は、そのセンサＩＤが記録される。
【００５２】
評価対象車両情報（例えば画像）は、評価対象となった車両を特定する情報であり、例えば車両に備え付けられたカメラの撮影した画像データである。
【００５３】
図６に戻り、イベント検出部１０４の状態遷移図について説明を続ける。
ステップＳ１３においてイベントデータベース登録処理の後、イベント登録処理がユーザ入力による処理の場合、ステップＳ１４において、ユーザインタフェース（ＵＩ）の起動処理を行い、ステップＳ１５の評価情報入力ＵＩ表示処理ステップに遷移する。
【００５４】
ステップＳ１５の評価情報入力ＵＩ表示処理ステップにおいて車両の表示部に表示されるユーザインタフェースの例について図８を参照して説明する。
図８は車両の表示部３０１に表示されるＵＩの一例を示す図である。
【００５５】
図８に示す表示部３０１の表示画像は、車両に搭載されたカメラによって車両前方を撮影した画像である。
この表示画像内に含まれる各車両に対して、車両識別枠３０２，３１２が設定される。
【００５６】
例えば、車両識別枠３０２内には、評価値入力用の＋ボタン３０３と−ボタン３０４と、設定評価値表示領域３０５が表示される。
評価者である運転者は、＋ボタン３０３、または−ボタン３０４にタッチすることで、評価値を設定できる。
【００５７】
例えば、設定評価値表示領域３０５には最初、評価値＝０が表示されており、評価者である運転者が、＋ボタン３０３に１回タッチすると評価値が＋５、２回タッチすると＋１０、３回タッチすると＋１５等のようにタッチごとに、評価値が＋５される。
一方、−ボタン３０４に１回タッチすると評価値が−５、２回タッチすると−１０、３回タッチすると−１５等のようにタッチごとに、評価値が−５される。
このような処理によって、例えば最低評価値（−５０）〜最高評価値（＋５０）の評価値を入力することができる。
送信ボタン３１３をタッチすると、入力評価値が、情報管理装置２００に送信され、イベント情報データベース２０４に格納される。
なお、図８を参照して説明したＵＩ内に表示される車両識別枠の画像についても、イベント情報とともに車両側情報処理装置１００から情報管理装置２００に送信されて登録される。
【００５８】
これらの処理は、図６に示す状態遷移図のステップＳ１５→Ｓ１６→Ｓ１３の処理に対応する。
図６に示す状態遷移図のステップＳ１７の処理は、ステップＳ１３のイベント登録処理、または、ステップＳ１５の評価情報入力ＵＩ表示処理、これらの処理後、評価情報の入力が完了した場合、またはＵＩ表示後、一定期間入力がなされなかった場合等のキャンセル判定処理時に実行される待機ステップへの回帰処理である。
【００５９】
図２に戻り、車両側情報処理装置１００と情報管理装置２００の構成と処理についての説明を続ける。
車両側情報処理装置１００の評価情報入力ユーザインタフェース１０５は例えば、先に図８を参照して説明したＵＩであり、このＵＩを利用してユーザ（運転者等）が他車の運転の評価情報を入力する。
入力された評価情報は、情報管理装置２００のイベント情報データベース２０４に格納される。
【００６０】
イベント情報データベース２０４には、先に図７を参照して説明したデータ、すなわち、
イベントＩＤ（識別子）
日時情報
イベント情報出力車両ＩＤ（識別子）、
イベント情報出力車両運転者ＩＤ（識別子）
評価値（−５０〜＋５０）
評価者ＩＤ（評価者が運転者の場合は運転者ＩＤ、自動検出（ＡＵＴＯ）の場合はセンサ（カメラ等）のＩＤ）
評価対象車両情報（例えば画像）
これらの各データが対応づけて格納される。
【００６１】
情報管理装置２００のマッチング処理部２０５は、このイベント情報データベース２０４の格納データと、
車両情報データベース２０１、
運転者情報データベース２０２、
車両位置情報データベース２０３、
これらの各データベースの格納情報とのマッチング処理を実行する。
【００６２】
具体的には、例えば評価対象車両とその運転者を特定する処理を実行する。
車両情報データベース２０１、
運転者情報データベース２０２、
車両位置情報データベース２０３、
これらの各データベースには、イベント情報データベース２０４に格納されたイベント情報出力車両、および、評価対象車両情報に対応する車両、これら２つの車両に関する以下の情報、すなわち、
車両ＩＤ、
運転者ＩＤ、
位置情報、
これらのデータが格納されている。
【００６３】
マッチング処理部２０５は、イベント情報データベース２０４に格納されたデータと、
車両情報データベース２０１、
運転者情報データベース２０２、
車両位置情報データベース２０３、
これらの各データベースに格納されたデータの照合処理を実行して、イベント情報出力車両、および、評価対象車両、およびその運転者、さらにイベント日時、位置等が正しく対応付けられた登録データとして格納されているか否かを検証する。
【００６４】
マッチング処理が完了し、評価対象車両、およびその運転者の特定に成功すると、評価情報を評価情報データベース２０６に格納する。
評価情報データベース２０６の格納データ例について、図９を参照して説明する。
【００６５】
図９に示すように、評価情報データベース２０６には、以下のデータが格納される。
日時情報、
位置情報、
評価対象車両ＩＤ、
評価対象運転者ＩＤ、
評価値（＋５０〜−５０）、
評価者ＩＤ
これらのデータが対応付けて格納される。
【００６６】
日時情報、位置情報は、評価処理がなされた時点の日時と、評価対象車両の位置情報である。
評価対象車両ＩＤ、評価対象運転者ＩＤは、評価対象となった車両と運転者の識別子である。
評価者ＩＤと、評価値（＋５０〜−５０）は、評価処理を実行した例えば運転者のＩＤとその評価値である。
【００６７】
これらの各データは、マッチング処理に適用した、
イベント情報データベース２０４、または、
車両情報データベース２０１、
運転者情報データベース２０２、
車両位置情報データベース２０３、
これらの各データベースのいずれかから取得される。
【００６８】
評価情報データベース２０６には、マッチング処理によって、評価対象車両やその運転者が特定できた確実な情報のみが登録されることになり、誤った情報が登録されることが防止される。
【００６９】
集計処理部２０７は、この評価情報データベース２０６に格納されたデータを利用して集計、解析処理を行い、運転者に提供する情報や、保険会社に提供する情報等を生成する。
生成情報は、例えば、車両側情報処理装置１００の評価情報出力ユーザインタフェース（ＵＩ）１０６に出力される。
評価情報出力ユーザインタフェース（ＵＩ）１０６に対する情報出力例については後段で説明する。
【００７０】
なお、図８を参照して、評価情報入力ＵＩ１０５の具体例について説明したが、図８に示す評価情報入力ＵＩ１０５の例は一例であり、その他の様々なＵＩを利用することが可能である。
図１０に、図８に示すＵＩとは異なる評価情報入力ＵＩ１０５の具体例を示す。
【００７１】
図１０に示す評価情報入力ＵＩ１０５の具体例では、評価理由を記入するための評価理由入力領域３２１が設定されている。評価者は、このの評価理由入力領域３２１の項目のいずれかをタッチすることで、その評価理由を評価値とともに、情報管理装置２００に送信する。
情報管理装置２００は、イベント情報データベース２０４や、評価情報データベース２０６に評価値に併せて評価理由を登録することができる。
【００７２】
［３．評価情報を利用した情報提供処理について］
次に、情報管理装置２００の集計処理部２０７が評価情報データベース２０６に格納されたデータを利用して生成し提供する情報、例えば運転者等に提供する情報の例について説明する。
【００７３】
図１１は、情報管理装置２００の集計処理部２０７が評価情報データベース２０６に格納されたデータを利用して生成する提供情報の一例を示す図である。
図１１には、情報管理装置２００から車両側情報処理装置１００に送信され、自動車の表示部に表示される情報の一例を示している。
図２に示す車両情報処理装置１００の評価情報出力ユーザインタフェース（ＵＩ）１０６に対する情報出力例である。
【００７４】
図１１に示す例は、他者から低評価（評価値＝−５０〜０）を受けた評価対象者に提供される情報の例である。
低評価を受けた日時、場所、評価値、評価理由が、画像（地図、または撮影画像）とともに表示される。
運転者は、これらの提供情報に従って、自分の運転について反省することが可能となる。
【００７５】
図１２は、情報管理装置２００が、特定の運転者の所定期間、例えば半年単位の評価データのサマリを生成して運転者に提供する情報の例である。
図１２に示す表示情報も、図１１と同様、情報管理装置２００から車両側情報処理装置１００に送信され、自動車の表示部に表示される情報である。
【００７６】
このサマリデータは、以下のデータによって構成される。
（Ａ）月別平均評価値
（Ｂ）低評価理由
（Ｃ）総合評価
【００７７】
（Ａ）月別平均評価値は、半年（１〜６月）の６か月間に取得された、この運転者に対する評価値を月単位で平均化したデータである。
（Ｂ）低評価理由は、半年（１〜６月）の６か月間に取得された、この運転者に対する評価値として取得された低評価の理由の統計データである。
（Ｃ）総合評価は、半年間の評価値や評価理由に基づいて生成された総合評価情報である。
【００７８】
図１１や、図１２に示す提供情報の例は、評価された運転者に提供するフィードバック情報の例である。
情報管理装置２００は、これらの情報の他、評価を行った評価実行主体者に対してもフィードバック情報を生成して提供することができる。
【００７９】
図１３に評価実行主体者に対するフィードバック情報の例を示す。
図１３は、情報管理装置２００が、特定の評価実行者（運転者）の所定期間、例えば半年単位の評価データのサマリ情報の例である。
図１３に示す表示情報も、図１１や図１２と同様、情報管理装置２００から車両側情報処理装置１００に送信され、自動車の表示部に表示される情報である。
【００８０】
このサマリデータは、以下のデータによって構成される。
（Ａ）評価値統計
（Ｂ）月別平均評価値
（Ｃ）評価値設定についてのお願い
【００８１】
（Ａ）評価値統計は、この評価者が過去半年間に行った評価処理における＋評価と−評価の件数を示すグラフである。
（Ｂ）月別平均評価値は、この評価者が過去半年間に行った評価処理における評価値の月別平均値を示すグラフである。
（Ｃ）評価値設定についてのお願いは、（Ａ）評価値統計、（Ｂ）月別平均評価値に基づいて情報管理装置２００が生成したメッセージであり、中立的な評価を実行させるためのメッセージ情報である。
【００８２】
このように、情報管理装置２００は、評価情報データベース２００に格納された評価情報に基づいて、評価者、および被評価者に対して、様々なフィードバック情報を生成して提供することができる。
【００８３】
［４．危険運転車両が近づいていることの通知処理について］
図１１〜図１３を参照して説明したように、情報管理装置２００は、評価情報データベース２００に格納された評価情報に基づいて、評価者、および被評価者に対して、様々なフィードバック情報を生成して提供することができる。
【００８４】
情報管理装置２００は、さらに、評価情報データベース２００に格納された評価情報に基づいて、各車両に、危険運転車両が近づいていることを通知する処理を実行することができる。
この処理例について、図１４以下を参照して説明する。
【００８５】
図１４は、各車両に、危険運転車両が近づいていることを通知する処理を実行する情報管理装置２００のデータ処理部の処理状態を示す状態遷移図である。
【００８６】
図１を参照して説明したように、情報管理装置２００は、道路を走行中の車両から車両情報、運転者情報、位置情報、さらに評価情報を継続的に受信しているものとする。
情報管理装置２００は、受信する評価情報に基づいて先に図９を参照して説明した評価情報データベース格納データ、すなわち、
日時情報、
位置情報、
評価対象車両ＩＤ、
評価対象運転者ＩＤ、
評価値（＋５０〜−５０）、
評価者ＩＤ
これらのデータを評価情報データベース２０６に対応付けて格納している。
【００８７】
情報管理装置２００は、この評価情報データベース２０６の格納データに基づいて低評価を受けた車両（危険運転車両）の位置を常に把握することができる。
情報管理装置２００は、この危険運転車両の位置情報を利用して、各車両に、危険運転車両が近づいていることを通知する処理を実行する。
【００８８】
図１４に示す状態遷移図において、ステップＳ２１は、通常の待機状態である。
例えば、ステップＳ２２において、危険運転車両の進行方向に別の車両（車両Ａ）が検出された場合、ステップＳ２３に進み、その車両Ａに対して、低評価を受けた車両（危険運転車両）が近づいていることの通知を行う。
【００８９】
通知情報の具体例を図１５に示す。
図１５は、通知を受ける車両Ａの表示部の表示画像の例を示す図である。
車両Ａの表示部には、車両Ａのカメラによって撮影された画像が表示される。さらに、低評価を受けた車両（危険運転車両）を識別するための注意喚起枠３５１が危険運転車両の周囲に表示される。
この車両は、情報管理装置２００が評価情報データベース２０６の格納データに基づいて識別した車両識別情報に基づいて設定される。
【００９０】
車両Ａの運転者は、この表示画像を見ることで、対向車が危険運転車両であることを事前に認識することが可能となり、減速処理等による危険回避を行うことが可能となる。
なお、図１５に示すような危険車両の表示処理に限らず、例えば、車両に備えられた警報音出力部を介して警報音を出力する構成としてもよい。
【００９１】
その後、危険運転車両が遠ざかると、通知処理は終了し、待機状態に戻る。
すなわち、図１４のステップＳ２４の処理が行なわれる。
【００９２】
［５．テレマティクス保険の保険料算出に適用する処理例について］
次に、情報管理装置２００が、評価情報データベース２０６の格納データ、またはその解析データを保険会社に提供し、保険会社が、受領データに基づいて保険料を算出する実施例について説明する。
【００９３】
まず、図１６を参照してテレマティクス保険の概要について説明する。
先に説明したように、テレマティクス保険には、走行距離のみに連動する走行距離連動型（ＰＡＹＤ：Ｐａｙ  Ａｓ  Ｙｏｕ  Ｄｒｉｖｅ）のタイプと、運転者（ドライバ）の運転特性、例えば急ブレーキや急発進等の頻度等の運転特性を考慮して保険料を算出する運転行動連動型（ＰＨＹＤ：Ｐａｙ  Ｈｏｗ  Ｙｏｕ  Ｄｒｉｖｅ）のタイプの２種類がある。
【００９４】
運転行動連動型（ＰＨＹＤ）のテレマティクス保険は、運転者（ドライバ）の運転特性に基づいて保険料を算出する。
保険料算出処理の概要について、図１６以下を参照して説明する。
図１６には、車両４００と、保険会社４２０を示している。
車両４００には、保険料算出対象者としての運転者（ドライバ）４０１が乗車して運転を行っている。
【００９５】
車両４００には、運転特性を取得するための様々なセンサが備え付けられている。具体的には、走行距離、走行速度情報の取得装置、急ブレーキ、急発進、急ハンドルが行われたことを検出する検出センサ、運転の行われた時間帯を検出する装置等、様々な運転行動データ取得装置が備えられている。
車両４００に備えられた運転行動データ取得装置の取得したデータは、例えば車両の通信部を介して保険会社４２０の情報処理装置４２１に送信される。
【００９６】
なお、データは逐次、送信する構成としてもよいし、例えば、１週間、１か月等、所定期間の取得データを車両４００内部の記憶部に蓄積し、その蓄積データをまとめて送信する構成としてもよい。
あるいは、運転者（ドライバ）４０１が、車両４００の記憶部に格納されたデータを記録したメディアを保険会社４２０に提出する構成としてもよい。
【００９７】
保険会社４２０の情報処理装置４２１は、所定期間単位の運転行動データを解析して、運転者（ドライバ）４０１の運転特性に基づく保険料を算出して、保険料を請求する。
例えば、保険料算出期間を１か月とした場合、その算出期間１か月の間、危険な運転履歴が少ないと判定されれば、保険料が安くなり、危険な運転履歴が多いと判定されれば、保険料が高くなる設定である。
【００９８】
保険会社４２０の情報処理装置４２１は、保険会社の設定した保険料算出アルゴリズムに従って保険料を算出する。
具体的には、例えば図１７に示すような設定で保険料が決定される。
図１７に示すグラフは横軸が運転危険レベルであり、左側は危険レベルが低く、右側ほど危険レベルが高い設定である。
縦軸は、算出される保険料であり、上にいくほど高い保険料となる。
【００９９】
運転危険レベルは、車両４００に備えられた運転行動データ取得装置からの取得データに基づいて判定され、具体的には、急ブレーキ、急発進、急ハンドル、高速走行が多い等の場合には、危険レベルが高いと判定される。
このような判定がなされると算出保険料が高く設定されるる
【０１００】
このように、運転行動連動型（ＰＨＹＤ）のテレマティクス保険では、運転者（ドライバ）の運転特性に基づいて保険料算出が行われる。
具体的には、例えば、急ブレーキや急発進、急ハンドルが多用されている場合、危険な運転が多いと判定されてしまい、保険料が高く設定される。
しかし、例えば、危険を避けるために急ブレーキを利用することはよくあることであり、単に急ブレーキの多さによって保険料が高く設定されてしまうというのは問題であるという意見も多い。
【０１０１】
このような問題を防止する手法の一つとして、他者による運転評価が有効であると考えられる。
例えば、他者による運転評価の評価値の月平均値が、プラス評価である運転者については、保険料を割安な設定にする。
一方、他者による運転評価の評価値の月平均値が、マイナス評価である運転者については、保険料を割高にする。
このような保険料の設定が可能である。
【０１０２】
他者による運転評価値を適用した保険料設定例を図１８に示す。
図１８のグラフは、図１７と同様、横軸が運転危険レベルであり、左側は危険レベルが低く、右側ほど危険レベルが高い設定である。
縦軸は、算出される保険料であり、上にいくほど高い保険料となる。
【０１０３】
図１８には３つのラインを示している。
ラインＡは、基準保険料設定ラインであり、運転評価値を考慮しない場合の保険料設定ラインである。
【０１０４】
これに対して、ラインＢは、割高保険料設定ラインであり、例えば過去の所定期間の運転評価値平均がマイナス評価（低評価）である場合の保険料設定ラインである。
また、ラインＣは、割安保険料設定ラインであり、例えば過去の所定期間の運転評価値平均がプラス評価（高評価）である場合の保険料設定ラインである。
このように、他者の運転評価値を勘案して保険料を算出する構成が可能である。
【０１０５】
［６．情報処理装置の構成例について］
次に、図２を参照して説明した車両側情報処理装置１００や、情報管理装置２００として適用可能な情報処理装置のハードウェア構成例について、図１９を参照して説明する。
【０１０６】
ＣＰＵ（Ｃｅｎｔｒａｌ  Ｐｒｏｃｅｓｓｉｎｇ  Ｕｎｉｔ）５０１は、ＲＯＭ（Ｒｅａｄ  Ｏｎｌｙ  Ｍｅｍｏｒｙ）５０２、または記憶部５０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）５０３には、ＣＰＵ５０１が実行するプログラムやデータなどが記憶される。これらのＣＰＵ５０１、ＲＯＭ５０２、およびＲＡＭ５０３は、バス５０４により相互に接続されている。
【０１０７】
ＣＰＵ５０１はバス５０４を介して入出力インタフェース５０５に接続され、入出力インタフェース５０５には、各種スイッチ、キーボード、タッチパネル、マウス、マイクロホンなどよりなる入力部５０６、ディスプレイ、スピーカなどよりなる出力部５０７が接続されている。
【０１０８】
なお、車両側情報処理装置１００の入力部５０６には、ユーザインタフェース部、センサ，カメラ，ＧＰＳ等が含まれる。
車両側情報処理装置１００の出力部５０６には、ユーザインタフェース部が含まれる。また、警報音出力部も含まれる。
【０１０９】
ＣＰＵ５０１は、入力部５０６から入力される指令や、運転行動検出部（センサ，カメラ，ＧＰＳ等）５２１からの検出情報を入力し、各種の処理を実行し、処理結果を例えば出力部５０７に出力する。
【０１１０】
入出力インタフェース５０５に接続されている記憶部５０８は、例えばハードディスク等からなり、ＣＰＵ５０１が実行するプログラムや各種のデータを記憶する。通信部５０９は、インターネットやローカルエリアネットワークなどのネットワークを介したデータ通信の送受信部、さらに放送波の送受信部として機能し、外部の装置と通信する。
【０１１１】
入出力インタフェース５０５に接続されているドライブ５１０は、磁気ディスク、光ディスク、光磁気ディスク、あるいはメモリカード等の半導体メモリなどのリムーバブルメディア５１１を駆動し、データの記録あるいは読み取りを実行する。
【０１１２】
［７．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１１３】
なお、本明細書において開示した技術は、以下のような構成をとることができる。
（１）  他の車両の運転に関する評価情報を入力する評価情報入力部と、
前記評価情報入力部に入力された評価情報を情報管理装置に送信する通信部を有する情報処理装置。
【０１１４】
（２）  前記評価情報入力部は、
カメラによる撮影画像を表示する表示部を利用したユーザインタフェースであり、
前記表示部に表示された他の車両に関するプラス評価、またはマイナス評価の評価値を入力可能な入力部である（１）に記載の情報処理装置。
【０１１５】
（３）  前記情報処理装置は、さらに、
運転者情報を入力する運転者登録部を有し、
前記通信部は、前記運転者登録部を介して入力された運転者情報を、前記情報管理装置に送信する（１）または（２）に記載の情報処理装置。
【０１１６】
（４）  前記情報処理装置は、さらに、
位置情報を検出する位置検出部を有し、
前記通信部は、前記位置検出部において検出された位置情報を、前記情報管理装置に送信する（１）〜（３）いずれかに記載の情報処理装置。
【０１１７】
（５）  前記情報処理装置は、さらに、
イベント情報を検出するイベント検出部を有し、
前記通信部は、前記イベント検出部において検出されたイベント情報を、前記情報管理装置に送信する（１）〜（４）いずれかに記載の情報処理装置。
【０１１８】
（６）  前記イベント情報は、
ユーザによる評価情報の入力意思を示す入力処理に基づくイベント情報である（５）に記載の情報処理装置。
【０１１９】
（７）  前記イベント情報は、
カメラ撮影画像に基づく危険車両の検出に基づくイベント情報である（５）に記載の情報処理装置。
【０１２０】
（８）  前記情報処理装置は、さらに、
前記情報管理装置の送信する評価情報を出力する出力部を有する（１）〜（７）いずれかに記載の情報処理装置。
【０１２１】
（９）  前記出力部は、
前記情報管理装置から、自己の車両の運転評価情報を入力して出力する（８）に記載の情報処理装置。
【０１２２】
（１０）  前記出力部は、
前記情報管理装置から、他の車両に対して行った運転評価情報のサマリを入力して出力する（８）に記載の情報処理装置。
【０１２３】
（１１）  車両から他車の運転に関する評価情報を受信する通信部と、
前記評価情報を格納する評価情報データベースと、
前記評価情報データベースの格納データに基づく解析処理を実行する集計処理部を有する情報処理装置。
【０１２４】
（１２）  前記情報処理装置は、
車両から、車両情報、または運転者情報、または位置情報の少なくともいずれかの情報を取得し、
前記評価情報に併せて受信するデータと、前記車両情報、または運転者情報、または位置情報の少なくともいずれかの情報とのマッチング処理を実行して、評価対象車両、または評価対象運転者の少なくともいずれかの特定処理を行う（１１）に記載の情報処理装置。
【０１２５】
（１３）  前記情報処理装置は、
前記集計処理部の実行した、前記評価情報データベースの格納データに基づく解析処理結果を車両に送信する（１１）または（１２）に記載の情報処理装置。
【０１２６】
（１４）  車両側情報処理装置と、情報管理装置を有する情報処理システムであり、
前記車両側情報処理装置は、
他の車両の運転に関する評価情報を入力する評価情報入力部と、
前記評価情報入力部に入力された評価情報を情報管理装置に送信する通信部を有し、
前記情報管理装置は、
前記車両側情報処理装置から前記評価情報を受信する通信部と、
前記評価情報を格納する評価情報データベースと、
前記評価情報データベースの格納データに基づく解析処理を実行する集計処理部を有する情報処理システム。
【０１２７】
（１５）  情報処理装置において実行する情報処理方法であり、
評価情報入力部に対する、他車両の運転に関する評価情報の入力処理を検出する入力検出処理と、
前記評価情報入力部に入力された評価情報を、通信部を介して情報管理装置に送信するデータ送信処理を実行する情報処理方法。
【０１２８】
（１６）  情報処理装置において実行する情報処理方法であり、
通信部を介して、車両から他車の運転に関する評価情報を受信する通信ステップと、
データ処理部が、前記評価情報を評価情報データベースに格納するステップと、
集計処理部が、前記評価情報データベースの格納データに基づく解析処理を実行する集計ステップを実行する情報処理方法。
【０１２９】
（１７）  情報処理装置において情報処理を実行させるプログラムであり、
評価情報入力部に対する、他車両の運転に関する評価情報の入力処理を検出する入力検出処理と、
前記評価情報入力部に入力された評価情報を、通信部を介して情報管理装置に送信するデータ送信処理を実行させるプログラム。
【０１３０】
（１８）  情報処理装置において情報処理を実行させるプログラムであり、
通信部を介して、車両から他車の運転に関する評価情報を受信させる通信ステップと、
データ処理部に、前記評価情報を評価情報データベースに格納させるステップと、
集計処理部に、前記評価情報データベースの格納データに基づく解析処理を実行させる集計ステップを実行させるプログラム。
【０１３１】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１３２】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１３３】
以上、説明したように、本開示の一実施例の構成によれば、車両から他車の運転評価データを取得、集積して各車両の運転者の運転評価を可能とした構成が実現される。
具体的には、例えば、車両側情報処理装置から、車両情報、運転者情報、位置情報を情報管理装置に送信し、さらに、他の車両の運転に関する評価情報を情報管理装置に送信する。情報管理装置は、車両から、車両情報、運転者情報、位置情報を受信してデータベースに格納するとともに、評価情報と評価時の時間情報や運転者情報等を受信する。データベースの格納データと、評価情報に併せて受信したデータとのマッチング処理により、評価対象車両や運転者を特定し、評価情報データベースに格納し、格納データに基づく解析処理を実行して運転者等に提供する。
本構成により、車両から他車の運転評価データを取得、集積して各車両の運転者の運転評価を可能とした構成が実現される。
【符号の説明】
【０１３４】
１１，１２，１３  車
２１，２２，２３  運転者（ドライバ）
３０  情報管理装置
４０  保険会社
１００  車両側情報処理装置
１０１  車両登録部
１０２  運転者登録部
１０３  位置検出部
１０４  イベント検出部
１０５  評価情報入力ユーザインタフェース（ＵＩ）
１０６  評価情報出力ユーザインタフェース（ＵＩ）
２００  情報管理装置
２０１  車両情報データベース
２０２  運転者情報データベース
２０３  車両位置情報データベース
２０４  イベント情報データベース
２０５  マッチング処理部
２０６  評価情報データベース
２０７  集計処理部
４００  車両
４０１  運転者
４２０  保険会社
４２１  情報処理装置
５０１  ＣＰＵ
５０２  ＲＯＭ
５０３  ＲＡＭ
５０４  バス
５０５  入出力インタフェース
５０６  入力部
５０７  出力部
５０８  記憶部
５０９  通信部
５１０  ドライブ
５１１  リムーバブルメディア
【図１】
2019039212.tif 000003
【図２】
2019039212.tif 000004
【図３】
2019039212.tif 000005
【図４】
2019039212.tif 000006
【図５】
2019039212.tif 000007
【図６】
2019039212.tif 000008
【図７】
2019039212.tif 000009
【図８】
2019039212.tif 000010
【図９】
2019039212.tif 000011
【図１０】
2019039212.tif 000012
【図１１】
2019039212.tif 000013
【図１２】
2019039212.tif 000014
【図１３】
2019039212.tif 000015
【図１４】
2019039212.tif 000016
【図１５】
2019039212.tif 000017
【図１６】
2019039212.tif 000018
【図１７】
2019039212.tif 000019
【図１８】
2019039212.tif 000020
【図１９】
2019039212.tif 000021
【国際調査報告】
2019039212.tif 000022
2019039212.tif 000023